(57)【要約】【課題】液体供給部を軸筒の中心軸から大きく偏心させることができて、使い勝手のよい液体供給装置を提供する。【解決手段】第１中心軸１２ａを有し、液体を収容する軸筒１２と、軸筒１２の先端側に配置されて、第１中心軸に対して傾斜した第２中心軸を有する先具２２と、軸筒１２の内部に設けられて、第１中心軸１２ａ上を延設された第１液体中継芯２０と、先具２２の内部に設けられて、第２中心軸２２ａ上を延設された第２液体中継芯３０と、先具２２の先端に設けられて、第２中心軸２２ａに対して対称的に配置された液体供給部を備える。第１液体中継芯２０の先端と第２液体中継芯３０の後端とは、第１中心軸１２ａと第２中心軸２２ａの交差部に配置された液体保持材３２内に挿入されており、互いに角度を持っている。【選択図】図１
0003193469.tif 000002
【実用新案登録請求の範囲】
【請求項１】
第１中心軸を有し、液体を収容する軸筒と、
軸筒の先端側に配置されて、第１中心軸に対して傾斜した第２中心軸を有する先具と、
軸筒及び先具の内部に設けられて、第１中心軸上及び第２中心軸上を延設され、且つ前記第１中心軸と前記第２中心軸の交差部において屈曲した液体誘導体と、
先具の先端に設けられて、前記第２中心軸に対して対称的に配置された液体供給部と、
を備えることを特徴とする液体供給装置。
【請求項２】
前記液体誘導体は、第１中心軸上に配置された第１液体誘導体と、第２中心軸上に配置された第２液体誘導体と、から構成され、第１液体誘導体の先端と第２液体誘導体の後端は、前記第１中心軸と前記第２中心軸の交差部に配置され液体を保持可能な液体保持材内にそれぞれ挿入されることを特徴とする請求項１記載の液体供給装置。
【請求項３】
前記液体誘導体は、前記第１中心軸と前記第２中心軸の交差部において屈曲した単一の液体誘導体で構成されることを特徴とする請求項１記載の液体供給装置。
【請求項４】
前記液体誘導体の少なくとも一部の周囲には、液体を保持可能な液体保持材が配設されることを特徴とする請求項３記載の液体供給装置。
【請求項５】
前記軸筒の外形断面形状は多角形形状であり、多角形の１つの角が前記第２中心軸の傾斜側に配置されることを特徴とする請求項１ないし４のいずれか１項に記載の液体供給装置。
【請求項６】
前記軸筒と前記先具との接続部分には、両者の間のシールを行うシール材が配設されることを特徴とする請求項１ないし５のいずれか１項に記載の液体供給装置。
【考案の詳細な説明】
【技術分野】
【０００１】
本考案は、化粧用、筆記用等の液体を供給する液体供給装置に関し、特に、液体を収容する軸筒の中心軸上にない液体供給部を持つ液体供給装置に関する。
【背景技術】
【０００２】
従来、この種の液体供給装置としては、特許文献１に記載されたものが知られている。
【０００３】
特許文献１の液体供給装置においては、軸筒の中心軸上に形成されて、インク収容室からインクを導入する第一のインク流路と、第一のインク流路からインクが導入される第二のインク流路とを備えており、第二のインク流路は軸筒の中心軸上からはずれて中心軸に並行する状態で第一のインク流路の先端に連結されており、さらに、第二のインク流路に導入されたインクはボールの転動によって導出され、ボールの抱持方向が第二のインク流路の軸線に対して所定角度傾斜しており、且つ、第二のインク流路の軸線がボールの領域を通過するように配置されている。
【０００４】
そして、この構成によって、筆記時に軸筒を大きく傾斜させたとしても、ボールの抱持部が筆記面に傾斜することなく、ボールの露出面が筆記面に適度に臨むようにすることができるようになっている。
【先行技術文献】
【特許文献】
【０００５】
【特許文献１】特開２００７−１２５７５４号公報
【考案の概要】
【考案が解決しようとする課題】
【０００６】
しかしながら、かかる従来の装置においては、第二のインク流路が第一のインク流路と平行であり、しかも、第二のインク流路は、第一のインク流路の先端と連結するために、第一のインク流路と一部重複している。そのため、第二のインク流路の先端に設けられた液体供給部となるボールは、軸筒の中心軸の近傍にあり、液体供給部を軸筒の中心軸から大きく偏心させることができない、という問題がある。
【０００７】
本考案はかかる課題に鑑みなされたもので、液体供給部を軸筒の中心軸から大きく偏心させることができて、これによって使い勝手のよい液体供給装置を提供することをその目的とする。
【課題を解決するための手段】
【０００８】
上記目的を達成するために、第１の本考案は、
第１中心軸を有し、液体を収容する軸筒と、
軸筒の先端側に配置されて、第１中心軸に対して傾斜した第２中心軸を有する先具と、
軸筒及び先具の内部に設けられて、第１中心軸上及び第２中心軸上を延設され、且つ前記第１中心軸と前記第２中心軸の交差部において屈曲し液体を誘導する液体誘導体と、
先具の先端に設けられて、前記第２中心軸に対して対称的に配置された液体供給部と、を備えることを特徴とする。
【０００９】
第２の考案は、第１の考案において、
前記液体誘導体は、第１中心軸上に配置された第１液体誘導体と、第２中心軸上に配置された第２液体誘導体と、から構成され、第１液体誘導体の先端と第２液体誘導体の後端は、前記第１中心軸と前記第２中心軸の交差部に配置され液体を保持可能な液体保持材内にそれぞれ挿入されることを特徴とする。
【００１０】
第３の考案は、第１の考案において、
前記液体誘導体は、前記第１中心軸と前記第２中心軸の交差部において屈曲した単一の液体誘導体で構成されることを特徴とする。
【００１１】
第４の考案は、第３の考案において、
前記液体誘導体の少なくとも一部の周囲には、液体を保持可能な液体保持材が配設されることを特徴とする。
【００１２】
第５の考案は、第１ないし第４のいずれかの考案において、前記軸筒の外形断面形状は多角形形状であり、多角形の１つの角が前記第２中心軸の傾斜側に配置されることを特徴とする。
【００１３】
第６の考案は、第１ないし第５のいずれかの考案において、前記軸筒と前記先具との接続部分には、両者の間のシールを行うシール材が配設されることを特徴とする。
【考案の効果】
【００１４】
本考案によれば、第１中心軸を有する軸筒と、第１中心軸に対して傾斜した第２中心軸を有する先具と、第１中心軸上及び第２中心軸上を延設され、且つ前記第１中心軸と前記第２中心軸の交差部において屈曲した液体誘導体と、第２中心軸に対して対称的に配置された液体供給部とを備えることによって、第２中心軸の第１中心軸から任意に傾斜させることができるので、液体供給部を軸筒の第１中心軸から大きく偏心させることができて、使い勝手の良い液体供給装置とすることができる。
【図面の簡単な説明】
【００１５】
【図１】本考案の第１実施形態に係る液体供給装置の全体縦断面図である。
【図２】図１の２−２線に沿って見た端面図である。
【図３】図１の液体供給装置のキャップを取り外して使用した状態を表す縦断面図である。
【図４】本考案の第２実施形態に係る液体供給装置の全体縦断面図である。
【考案を実施するための形態】
【００１６】
以下、図面を用いて本考案の実施の形態を説明する。
【００１７】
図１は、本考案の第１実施形態を表す。図に示すように、本考案による液体供給装置１０は、使用者によって把持され、内部に液体が収容された軸筒１２を備える。
【００１８】
軸筒１２は、長手方向に沿った第１中心軸１２ａを有する筒形状をなしており、その外形断面形状は、使用者の把持に適した任意の構造とすることができる。例えば、円形とすることもできるが、この例では、使用者の指の位置決めをしやすいように、角形状となっている（図２参照）。また、角形状としては、三角形、四角形とすることもできるが、角数が少ないと、肉厚部分と肉薄部分との肉厚差が大きくなり、また、角数が多いと指を載せる平面の面積が小さくなるので、好ましくは五角形または六角形とするとよい。さらに、この例では、後述の第２中心軸２２ａの傾斜する側が分かりやすくなるように、五角形となっており、第１中心軸１２ａ及び第２中心軸２２ａを含む平面内で、且つ、第１中心軸１２ａから第２中心軸２２ａが延びる側に軸筒１２の１つの稜線が位置付けられる。
【００１９】
軸筒１２内には、タンク筒１４が圧入され、タンク筒１４の後端は尾栓１６によって閉塞されてタンク部が形成されており、このタンク部内に液体が収容される。液体としては、アイライナといった化粧用液体や、筆記用インキといった筆記用液体とすることができる。尚、タンク筒１４は軸筒１２と一体部品とすることも可能である。
【００２０】
タンク筒１４の先端側には、蛇腹状の液体貯留溝を備えた液体貯留体１８が挿入されており、液体貯留体１８を貫通して、軸筒１２の第１中心軸１２ａ上を第１液体中継芯２０が延設されている。液体貯留体１８は、圧力差によりタンク部から液体が溢れたときに一時的に液体を貯留するためのものである。
【００２１】
軸筒１２の先端面１２ｂは、第１中心軸１２ａに対して傾斜しており、タンク筒１４の先端には、該軸筒１２の先端面に当接する傾斜鍔部１４ａが形成され、さらに傾斜鍔部１４ａよりも先端側に、軸筒１２の第１中心軸に対して傾斜した接続部１４ｂが形成される。
【００２２】
接続部１４ｂが先具２２に圧入されることによって、先具２２が接続部１４ｂを介して軸筒１２に連結される。尚、この先具２２と軸筒１２との連結は、圧入によらず、螺着、接着等とすることも可能である。先具２２は、円錐形状をなして、第１中心軸１２ａに対して傾斜した第２中心軸２２ａを有している。
【００２３】
そして、先具２２の先端には、ボールチップ２４が連結される。ボールチップ２４は、その先端にボール２６を抱持しており、これが液体供給部となる。ボール２６はセラミックス製、ステンレス製等とすることができる。
【００２４】
ボール２６及びボールチップ２４は、第２中心軸２２ａ上にあって、取付上または液体供給上の観点から見て第２中心軸２２ａに対して対称的に配置される。つまり、液体供給部における液体供給路は第２中心軸２２ａに対して対称的となっており、または、ボール２６またはボールチップ２４は第２中心軸２２ａに対して対称的に取り付けられており、従って、軸筒１２に対して傾斜して設けられる。
【００２５】
ボールチップ２４の後端には第２液体中継芯３０が挿入されており、第２液体中継芯３０は、第２中心軸２２ａ上を延設されている。
【００２６】
第１中心軸１２ａと第２中心軸２２ａとが交差するタンク筒１４の接続部１４ｂ内には、スポンジのような多孔質のエラストマーからなり液体を保持することが可能な液体保持材３２が配置されている。第１液体中継芯２０の先端と第２液体中継芯３０の後端は、それぞれ液体保持材３２内に挿入されて互いに接近している。
【００２７】
また、先具２２には、着脱可能にキャップ３６が被着されており、不使用時の先具２２の先端にある液体供給部を保護して、乾燥を防止する。キャップ３６の外形断面形状も、軸筒１２と同じ形状をしているとよく、これによってキャップ３６を被着する周方向の位置合わせが分かりやすいものとなる。
【００２８】
第１液体中継芯２０及び第２液体中継芯３０は、ポリエチレン、ポリプロピレン、ポリエステル等からなる繊維芯であり、その内部を液体が浸透して誘導されるようになっている。これらの第１液体中継芯２０及び第２液体中継芯３０によって、第１中心軸１２ａと第２中心軸２２ａの交差部において屈曲した液体誘導体が構成される。
【００２９】
以上のように構成される液体供給装置１０にあっては、使用時に、図３に示すようにキャップ３６を取り外して、被供給面に対して液体供給部を当てて移動させる。これによって、ボール２６が転動し、タンク部から第１液体中継芯２０を通過し液体保持材３２によって受けられ、さらにそこから、第２液体中継芯３０を通過してきた液体が、ボール２６の転動と共に被供給面へと供給されることになる。
【００３０】
使用者は、五角形となった軸筒１２の１つの角を下向きにし、上向きとなった斜面に指をおいて使用することができる。そして、液体供給部を下向きまたは水平に向けつつ、液体供給部を移動させることで、被供給面への液体の供給を行うことが可能になる。
【００３１】
液体供給部が軸筒１２の第１中心軸１２ａから大きく偏心しているので、水平な平面に筆記を行う場合のみならず、傾斜したまたは鉛直な平面または曲面のような個所に液体を供給する場合でも、供給する個所が軸筒の延長線上になくてよいので、使い勝手のよいものとすることができる。
【００３２】
例えば、液体をアイライナとして使用する場合には、被供給面がほぼ垂直面となる使用者の顔であり、且つ、使用者は液体供給部を自分に向けての作業となるが、このような作業においても、第２中心軸２２ａと第１中心軸１２ａとが傾斜するので、第２中心軸２２ａを被供給面に対して略垂直になるように、即ち、液体供給部を被供給面に対して略垂直に当てたとしても、第１中心軸１２ａを持つ軸筒１２は被供給面に対して傾斜させることができる。これによって、軸筒１２を把持した手を顔に接近させることができ、顔に手を当てて支点とすることができるので、作業を行いやすい。
【００３３】
本考案によれば、第２中心軸２２ａを第１中心軸１２ａに対して任意の角度で傾斜させることができ、且つ第２中心軸２２ａの長さも先具２２の長さとともに任意に設定することができるから、液体供給部を第１中心軸１２ａから大きく偏心させることができる。傾斜角度は、この例では、１５°であるが、０°より大きく１８０°の角度まで任意の角度で傾斜させることができる。
【００３４】
次に、図４は、本考案の第２実施形態を表す。この実施形態において、第１実施形態と同一・同様の部分は、同一の符号を付してその詳細説明は省略する。
【００３５】
前述の第１実施形態では、第１中心軸１２ａと第２中心軸２２ａの交差部において屈曲した液体誘導体が、第１液体中継芯２０と第２液体中継芯３０によって形成されていたが、この第２実施形態では、１つの屈曲した液体中継芯４０で構成され、この液体中継芯４０は、第１中心軸１２ａと第２中心軸２２ａの交点において屈曲している。
【００３６】
また、液体保持材４２が、第２中心軸２２ａ上で、液体中継芯４０の周囲に設けられている。また、好ましくは、先具２２と軸筒１２との接続部１４ｂを介して連結において、接続部１４ｂと先具２２との間には、両者のシールを行って、液体の外部への漏れを防ぐためにＯリング（シール材）４４が介在されている。
【００３７】
この実施形態によっても第１実施形態と同様の作用・効果が得られ、液体中継芯を単一の部品で構成するために、部品点数を低減させることができる。
【００３８】
尚、以上の実施形態では、液体供給部がボールによって構成されていたが、これに限るものではなく、刷毛（ブラシ）、フェルト芯とすることもできる。液体供給部の先端は、塗布の容易性のために第２中心軸２２ａに対する回転対称性を持たない形状とすることができるが、その場合でも、取付基部を含めたいずれかの部位において少なくとも２回対称以上の対称性を有していればよい。
【００３９】
また、以上の実施形態では、液体はタンク部内に直接収容されていたが、これに限るものではなく、中綿のような吸収体に液体を吸収させて収容してもよい。
【００４０】
以上の実施形態において複数の部材で構成した部品を単一部材で構成することも可能であり、または単一の部材で構成した部品を複数の部材で構成することも可能である。
【符号の説明】
【００４１】
１０  液体供給装置
１２  軸筒
１２ａ  第１中心軸
２０  第１液体中継芯（液体誘導体）
２２  先具
２２ａ  第２中心軸
２６  ボール（液体供給部）
３０  第２液体中継芯（液体誘導体）
３２  液体保持材
４０  液体中継芯（液体誘導体）
４２  液体保持材
４４  Ｏリング（シール材） 
【図１】
0003193469.tif 000003
【図２】
0003193469.tif 000004
【図３】
0003193469.tif 000005
【図４】
0003193469.tif 000006